(57)【要約】【課題】保管する際にはフラットであり、封緘資材を使用せずに簡単に素早く組み立てることができ、商品を収納して輸送や保管をする際にもケースの形状を安定して保つことができる組立式段ボールケースを提供する。【解決手段】蓋板５と底板２とが側板を介して連なり、一組の対向する側板３ａ，３ｂの縁から内フラップ６，７が延出し、該内フラップの面内に孔部８が、端部に係止部１０，１１がそれぞ形成され、前記底板の縁から他の組の対向する側板４ａ，４ｂが延出し、該他の組の対向する側板の面内に嵌め込み部９が切り込み形成されており、段ボールケースを組み立てるときに、前記一組の対向する側板同士が前記内フラップの係止部を介して係止されるとともに、該係止された内フラップの孔部に前記他の組の対向する側板の嵌め込み部を嵌め込んで組み立てられるものである組立式段ボールケース１。【選択図】　　図１
2004018095.tif 000002
【特許請求の範囲】
【請求項１】
少なくとも二組の対向する側板と蓋板と底板とを有する段ボールケースであって、前記蓋板と底板とが側板を介して連なり、一組の対向する側板の縁から内フラップが延出し、該内フラップの面内に孔部が、端部に係止部がそれぞ形成され、前記底板の縁から他の組の対向する側板が延出し、該他の組の対向する側板の面内に嵌め込み部が切り込み形成されており、段ボールケースを組み立てるときに、前記一組の対向する側板同士が前記内フラップの係止部を介して係止されるとともに、該係止された内フラップの孔部に前記他の組の対向する側板の嵌め込み部を嵌め込んで組み立てられるものであることを特徴とする組立式段ボールケース。
【請求項２】
前記嵌め込み部が、段ボールの幅方向に対して斜め方向又は直角方向に切り込み形成されていることを特徴とする請求項１に記載の組立式段ボールケース。
【請求項３】
前記係止部として、対向する内フラップの一方に切り欠き部が、他方に前記切り欠き部に合致する突出部がそれぞれ形成されていることを特徴とする請求項１又は請求項２に記載の組立式段ボールケース。
【請求項４】
前記段ボールケースが、１枚の段ボールを打ち抜いたものから形成されていることを特徴とする請求項１ないし請求項３のいずれか一項に記載の組立式段ボールケース。
【請求項５】
前記段ボールケースが、花卉用のものであることを特徴とする請求項１ないし請求項４のいずれか一項に記載の組立式段ボールケース
【発明の詳細な説明】
【０００１】
【発明の属する技術分野】
本発明は、組立式段ボールケースに関し、特に花卉（切り花）を収納して保管や輸送をするのに好適な組立式段ボールケースに関する。
【０００２】
【従来の技術】
従来、商品を保管や輸送する際、商品を収納する段ボールケースが使用されている。段ボールケースは、底板や側板をステープル、粘着テープ、糊などの封緘資材で留めるタイプのものが一般的である。
例えば切り花を収納する花卉用の段ボールケースとして、変形Ａ式ＩＩピースと呼ばれる２ピースタイプのものが使用されている。この段ボールケースは、組み立て前は図５に示されるように側板３，４と蓋板５を有する部分と、側板３，４と底板２を有する部分とに分かれており、糊代２１を介して一体化される。
【０００３】
このような２ピースタイプの段ボールケースでは、糊止め加工に時間がかかること、また糊止めした後に畳んだ状態がフラットでないため、積み上げ保管しにくいなどの問題がある。また、使用時には商品を入れる前にケースを組み立てるのに底面をテープやステープルで止める必要があり、さらに使用後にはケースを解体する際にステープルで作業者がケガをする場合があるなどの問題もあった。
【０００４】
また、特開平１０−２１８２７０号公報には、収納する切り花の長さに応じてケース内部に起立板を立たせる花卉用の段ボールケースが開示されている。この公報には、図５に示した２ピースタイプのほかに、蓋板と側板と底板とが一体となった１ピースタイプのものも開示されているが、この１ピースタイプのものも糊代が設けられており、糊止め加工に時間がかかるという問題がある。
【０００５】
一方、特開２００２−１０４３８０号公報には、側板に切り込み片あるいは孔を形成し、一方の側板の切り込み片を隣の側板の孔に押し込むことで組み立てられる段ボールケースが開示されている。
この段ボールケースはステープルや粘着テープを用いずに組み立てることができるが、切り込み片と孔による接合強度が十分でなく、形状安定性に欠け、特に商品をケース内に収納して積み重ねたときにケースの形状が崩れてケース内の商品を傷めてしまうおそれがある。
【０００６】
【発明が解決しようとする課題】
そこで本発明では、保管する際にはフラットであり、封緘資材を使用せずに簡単に素早く組み立てることができ、商品を収納して輸送や保管をする際にもケースの形状を安定して保つことができる組立式段ボールケースを提供することを目的とする。
【０００７】
【課題を解決するための手段】
上記目的を達成するため、本発明によれば、少なくとも二組の対向する側板と蓋板と底板とを有する段ボールケースであって、前記蓋板と底板とが側板を介して連なり、一組の対向する側板の縁から内フラップが延出し、該内フラップの面内に孔部が、端部に係止部がそれぞ形成され、前記底板の縁から他の組の対向する側板が延出し、該他の組の対向する側板の面内に嵌め込み部が切り込み形成されており、段ボールケースを組み立てるときに、前記一組の対向する側板同士が前記内フラップの係止部を介して係止されるとともに、該係止された内フラップの孔部に前記他の組の対向する側板の嵌め込み部を嵌め込んで組み立てられるものであることを特徴とする組立式段ボールケースが提供される。
【０００８】
このような組立式段ボールケースであれば、封緘資材を使用せず、簡単に素早く組み立てることができる。また、組み立て後においても側板同士が内フラップを介して強固に係止され、ケースの形状が安定して維持されるので、商品を入れて積み重ねても荷崩れするようなこともない。さらに、封緘資材が不要なため、コストを低く抑えることができ、使用後は分別せずにそのままリサイクル処理に回すことができるという利点もある。
【０００９】
この場合、前記嵌め込み部が、段ボールの幅方向に対して斜め方向又は直角方向に切り込み形成されていることが好ましい。
このような方向に嵌め込み部が切り込み形成されていれば、嵌め込み部の強度が十分高いものとなって側板と内フラップが強固に係止され、ケースの安定性を一層高くすることができるし、加工も容易である。
【００１０】
また、前記係止部として、対向する内フラップの一方に切り欠き部が、他方に前記切り欠き部に合致する突出部がそれぞれ形成されているものとすることができる。
このような係止部とすれば、対向する側板の内フラップ同士を容易に、かつ確実に係止することができるし、加工も容易である。
【００１１】
また、前記段ボールケースが、１枚の段ボールを打ち抜いたものから形成されていることが好ましい。
このように段ボールケースを１枚の段ボールを打ち抜いて形成したものとすれば、展開形状の段ボールを１回の打ち抜きで容易に作製することができ、製造コストをより低く抑えることができる。
【００１２】
本発明の段ボールケースは、花卉用のものとして好適に使用することができる。
前記したように、従来の花卉用の段ボールケースでは糊やステープルなどの封緘資材が必要であったが、本発明による段ボールケースでは、封緘資材を用いずに容易に組み立てることができ、製造コストも低く抑えることができるとともに解体も容易であるので花卉用のものとして好適に使用することができる。
【００１３】
【発明の実施の形態】
以下、本発明の実施の形態として、花卉用の組立式段ボールケースについて図面を参照しながら具体的に説明するが、本発明はこれに限定されるものではない。
図１は、本発明にかかる組立式段ボールケースの一例を示し、図２はその組み立て前の展開形状を示している。この段ボールケース１は二組の対向する側板３ａ，３ｂ，４ａ，４ｂと蓋板５と底板２とを有しており、蓋板５が長手方向の１枚の側板３ａを介して底板２及び側板３ｂと連なった１枚の段ボールから形成されている。このような展開形状の段ボールは、例えば打ち抜き用の刃を付けた型を用いてプレス機を用いて、１回の打ち抜き工程により作製することができる。なお、打ち抜きと同時に折り目線１７を入れることもできる。
【００１４】
一組の対向する側板３ａ，３ｂの両縁からは内フラップ６，７が延出している。各内フラップ６，７の面内には孔部８が形成されており、さらに対向する内フラップ６，７の一方の内フラップ６の端部には切り欠き部１１が、他方の内フラップ７の端部には突出部１０がそれぞれ形成されている。これらの切り欠き部１１と突出部１０は互いに合致する台形状に形成されており、係止部として機能する。
なお、内フラップ６，７の係止部としては、上記のような切り欠き部１１と突出部１０のようなものに限定されず、例えば、各内フラップ６，７の端部に切り込みを設けて互いにかみ合わせるようなものとしても良い。
【００１５】
さらに側板３ａ，３ｂの底側の中央には、輪ゴム等を引っ掛けるための掛け止め部１２が切り込み形成されている。この掛け止め部１２は先端が半円形状となって拡大しており、後述するように花卉をケース１内に収納したときに両側の掛け止め部１２に輪ゴムやひも等を引っ掛けて花卉を押さえることができるようになっている。
【００１６】
また、一方の側板３ａの上縁からは蓋板５が延出し、蓋板５の上縁には挿入片１３が形成されている。また、他方の側板３ｂの上縁からは内フラップ１６が延出しており、この内フラップ１６には蓋板５の挿入片１３を挿入するための挿入孔１４が形成されている。
【００１７】
底板２の短い方の縁から延出する、他の組の対向する側板４ａ，４ｂの面内には嵌め込み部９が切り込み形成されている。この嵌め込み部９は、ケース１を組み立てるときに内フラップ６，７の孔部８に嵌め込むことができる位置にある。また、嵌め込み部９は、付け根の細い部分と先端の拡大した部分とから構成されており、付け根の細い部分の長さは段ボールの厚さとほぼ同等であり、先端の拡大した部分は内フラップ６，７の孔部８の幅よりもやや広く形成されている。このような形状とすることで、嵌め込み部９を孔部８に押し込み易く、嵌め込んだ後は外れ難くすることができる。
【００１８】
なお、嵌め込み部９はこのような形状に限定されるものではないが、図３（Ａ）（Ｂ）に示されるように段ボールの幅方向（縦目方向）１９に対して斜め方向（Ａ）又は直角方向（Ｂ）に切り込み形成させることで強度を高く保つことができる。
【００１９】
次に、段ボールケース１の組み立てについて説明する。図２に示した展開形状の段ボールから段ボールケース１を組み立てるときには、対向する一組の側板３ａ，３ｂを折り目線を介して底板２から立上げ、さらに側板３ａ，３ｂの各内フラップ６，７を折り目線を介して内側に折り曲げて、対向する内フラップ６，７の切り欠き部１１と突出部１０を係止する。これにより、対向する側板３ａ，３ｂが内フラップ６，７を介して係止される。次いで、他の組の対向する側板４ａ，４ｂを折り目線に沿って折り曲げ、各嵌め込み部９をケース１の内側に軽く押すことで内フラップ６，７の孔部８に嵌め込むことができる。これにより内フラップ６，７と側板４ａ，４ｂとが一体となり段ボールケース１が組み立てられる。
【００２０】
このように組み立てられた段ボールケース１は、対向する一組の側板３ａ，３ｂの係止された内フラップ６，７の係止部を介して確実に係止されている上、これらの内フラップ６，７と他の組みの側板４ａ，４ｂも確実に固定された状態となっているので、側板３ａ，３ｂ，４ａ，４ｂ同士が強固に接合されている。従って、ケース１の安定性は極めて高いものとなる。
【００２１】
図４は上記のように組み立てた段ボールケース１内に花卉２０を収納した状態を示した断面図である。
組み立てた段ボールケース１内に商品である花卉２０の束を入れた後、両側の掛け止め部１２に輪ゴム１８あるいは紐を掛けることで花卉２０を押さえることができる。このように花卉２０を収納することにより、輸送時にケース１が揺れても、ケース１内での花卉２０の動きが抑制され、花卉２０が傷むのを防ぐことができる。
【００２２】
上記のようにケース１内に花卉２０を収納した後、内フラップ１５，１６、及び蓋板５を折り目線に沿ってケース１の内側に折り曲げ、蓋板５の挿入片１３を対向する側板３ｂの内フラップ１６の挿入孔１４に挿入することにより閉じることができる。
このように花卉２０を収納して蓋をした段ボールケース１は、側板３ａ，３ｂ，４ａ，４ｂ同士が非常に強固に接合され、蓋板５も確実に閉じられているため、輸送や保管をする際に積み重ねてもケースの形状が崩れることがなく、安全に輸送等を行うことができる。また、開梱の際には蓋板５を開けてゴム１８を外すことにより花卉２０を容易に取り出すことができる。
【００２３】
なお、本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【００２４】
例えば、上記実施形態では、花卉を収納する場合について説明したが、本発明の組立式段ボールケースは花卉用に限定されず、他の商品を収納するものとしても使用することができる。また、ケースの大きさや形状は、収納する商品に応じて適宜設定すればよく、例えば立方体のものとしてもよい。
また、使用する段ボールは、通常の一層の段ボールに限定されず、二層以上を積層した強化段ボールを用いてより強固な段ボールケースとすることもできる。
【００２５】
【発明の効果】
本発明の組立式段ボールケースは、１回の打ち抜き（一工程）で展開形状の段ボールを製造することができ、組み立て前にはフラットであるので積み重ねて保管することができる。また、糊止め加工の必要がなく、ステープル、粘着テープ、糊などの封緘資材を用いずに容易に素早く組み立てることができるので、コストダウンを図ることができるとともに、組み立てや封緘作業の工数を短縮することができる。また、開梱作業も簡略化することができ、解体時のステープルによるケガも防止することができるので、流通全体にわたって利益をもたらすことができる。さらに、使用後は分別廃棄する必要がなく、そのまま再生処理をすることが可能である。
【図面の簡単な説明】
【図１】本発明に係る組立式段ボールケースの一例の概略図である。
【図２】図１の段ボールケースの組立前の平面図である。
【図３】段ボールの幅方向（縦目方向）に対する嵌め込み部の方向を示す概略図である。
（Ａ）段ボールの幅方向に対して斜め方向
（Ｂ）段ボールの幅方向に対して直角方向
【図４】段ボールケースに切り花を収納した状態を示す概略断面図である。
【図５】従来の花卉用段ボールケース（２ピースタイプ）の組立前の平面図である。
【符号の説明】
１…組立式段ボールケース、　２…底板、　３，３ａ，３ｂ…側板、４，４ａ，４ｂ…側板、　５…蓋板、　６，７…内フラップ、　８…孔部、９…嵌め込み部、　１０…突出部、　１１…切り欠き部、　１２…掛け止め部、１３…挿入片、　１４…挿入孔、　１５，１６…内フラップ、１７…折り目線、　１８…輪ゴム、　１９…段ボールの幅方向（縦目方向）、２０…花卉、　２１…糊代。
【図１】
2004018095.tif 000003
【図２】
2004018095.tif 000004
【図３】
2004018095.tif 000005
【図４】
2004018095.tif 000006
【図５】
2004018095.tif 000007